(57)【要約】【課題】管理者による簡単な作業で室外に当該室の使用停止を伝えられるようにする。【解決手段】表示錠の表示部２が、施錠時表示域１８と、解錠時表示域１９と、使用停止を伝える停止時表示域２０とを有する。非常解錠操作で解錠する際に用いる操作具３で室外から表示変更操作を行うことによって、表示部２が停止時表示域２０を室外に表示する非常表示状態へ切り替えられるようにする。【選択図】図１
2019044360.tif 000002
【特許請求の範囲】
【請求項１】
施錠状態のときに施錠時表示域を室外に表示しかつ解錠状態のときに解錠時表示域を室外に表示する表示部を有し、所定の操作具を用いた室外からの非常解錠操作によって解錠される表示錠において、
前記表示部が、使用停止を伝える停止時表示域を有し、
前記操作具を用いた室外からの表示変更操作によって、前記表示部が前記停止時表示域を室外に表示する非常表示状態へ切り替えられることを特徴とする表示錠。
【請求項２】
前記操作具を用いた室外からの非常施錠操作によって施錠され、当該非常施錠操作に連続する前記表示変更操作によって前記非常表示状態へ切り替えられる請求項１に記載の表示錠。
【請求項３】
前記表示部が、室内からの施錠操作に応じて一方向へ回転しかつ室内からの解錠操作に応じて他方向へ回転する伝達軸と、当該伝達軸と同心に回転可能に配置された表示体と、当該表示体と前記伝達軸間の回転伝達と遮断を行うクラッチ機構とを有し、
前記表示体が、前記操作具からの操作を受ける非常入力部と、前記施錠時表示域と、前記解錠時表示域と、前記停止時表示域とを有し、
前記クラッチ機構が、前記伝達軸からの回転を前記表示体に伝達し、前記非常施錠操作による前記表示体の一方向回転を前記伝達軸に伝達し、前記表示変更操作による前記表示体の一方向回転を前記伝達軸に対して遮断し、前記表示体の他方向回転を前記伝達軸に伝達する請求項２に記載の表示錠。
【発明の詳細な説明】
【技術分野】
【０００１】
この発明は、表示錠に関する。
【背景技術】
【０００２】
従来、列車、公共施設、一般住宅等に備わるトイレ室、浴室等においては、その室内と室外を仕切るドアをロックするために表示錠が利用されている。表示錠は、室内から施錠、解錠される機械式の錠であって、施錠中（使用中）か否かを室外に表示する表示部を有するものである。また、表示錠は、一般に、所定の操作具を用いた室外からの非常解錠操作によって解錠されるようにもなっている。これは、室内の使用者を救助すべき事態が起こった際、室外からドアを迅速に開放できるようにするためである。
【０００３】
操作具の形式は様々であり、鍵、コイン、マイナスドライバ等が採用されている。例えば、列車、公共施設のように不特定多数の人物が室を使用する場合、その室を管理する車掌、警備員等の管理者のみに室外からの解錠を許すため、操作具としては、キーが採用されている。一般住宅のように室の使用者が特定される場合、操作具としては、一般的に入手可能なコイン、マイナスドライバ等が採用されている（例えば、特許文献１）。
【先行技術文献】
【特許文献】
【０００４】
【特許文献１】特開２００９−１７４１７６号公報
【発明の概要】
【発明が解決しようとする課題】
【０００５】
しかしながら、トイレ室、浴室等の室内設備は、故障、断水、停電等によって不意に使用できなくなることがある。このような場合、その室を管理する車掌、警備員等の管理者は、その室の使用を停止する措置を取らなければならない。そのため、管理者は、その室の使用停止を伝える貼り紙を急きょ用意し、これを当該室の室外に掲示しなければならず、面倒であった。
【０００６】
上述の背景に鑑み、この発明が解決しようとする課題は、管理者による簡単な作業で室外に当該室の使用停止を伝えられるようにすることである。
【課題を解決するための手段】
【０００７】
上記の課題を達成するため、この発明は、施錠状態のときに施錠時表示域を室外に表示しかつ解錠状態のときに解錠時表示域を室外に表示する表示部を有し、所定の操作具を用いた室外からの非常解錠操作によって解錠される表示錠において、前記表示部が、使用停止を伝える停止時表示域を有し、前記操作具を用いた室外からの表示変更操作によって、前記表示部が前記停止時表示域を室外に表示する非常表示状態へ切り替えられる構成を採用した。
【０００８】
上記構成によれば、操作具を所持する管理者は、表示錠に対し操作具を用いて表示変更操作を行い、当該表示錠の表示部において当該室の室外に使用停止を伝える停止時表示域を表示させることが可能である。すなわち、管理者は、操作具を用いるだけの簡単な作業で室外に当該室の使用停止を伝えられる。
【０００９】
具体的には、前記操作具を用いた室外からの非常施錠操作によって施錠され、当該非常施錠操作に連続する前記表示変更操作によって前記非常表示状態へ切り替えられることが好ましい。このようにすると、管理者が操作具の非常施錠操作で施錠してから表示変更操作で使用停止を表示させることになるため、使用停止する際の施錠忘れを確実に防止することができる。
【００１０】
また、前記表示部が、室内からの施錠操作に応じて一方向へ回転しかつ室内からの解錠操作に応じて他方向へ回転する伝達軸と、当該伝達軸と同心に回転可能に配置された表示体と、当該表示体と前記伝達軸間の回転伝達と遮断を行うクラッチ機構とを有し、前記表示体が、前記操作具からの操作を受ける非常入力部と、前記施錠時表示域と、前記解錠時表示域と、前記停止時表示域とを有し、前記クラッチ機構が、前記伝達軸からの回転を前記表示体に伝達し、前記非常施錠操作による前記表示体の一方向回転を前記伝達軸に伝達し、前記表示変更操作による前記表示体の一方向回転を前記伝達軸に対して遮断し、前記表示体の他方向回転を前記伝達軸に伝達することも好ましい。このようにすると、室内の使用を許す通常状態のとき、室内からの操作による施解錠切り替えと、表示体における施錠時表示域と解錠時表示域の表示切り替えとが連動する一方、操作具を一方向回転させることで非常施錠操作と表示変更操作とを行うことができ、操作具を他方向回転させることで非常解錠操作と非常表示状態の解除操作とを行うことができる。
【発明の効果】
【００１１】
この発明は、上記構成の採用により、管理者による簡単な作業で室外に当該室の使用停止を伝えられるようにすることができる。
【図面の簡単な説明】
【００１２】
【図１】この発明の実施形態に係る表示錠をドアに取り付けた状態で示す斜視図
【図２】図１の上側の切断面を真上から示す部分拡大断面図
【図３】図２の室内側の側面を示す部分拡大側面図
【図４】（ａ）は図１における表示部の室外側の側面を示す部分拡大側面図、（ｂ）は同図（ａ）のＩＶｂ−ＩＶｂ線の断面図、（ｃ）は同図（ｂ）のＩＶｃ−ＩＶｃ線の断面図
【図５】（ａ）は施錠時表示域を表示させた表示部の室外側の側面を示す部分拡大側面図、（ｂ）は同図（ａ）のＶｂ−Ｖｂ線の断面図、（ｃ）は同図（ｂ）のＶｃ−Ｖｃ線の断面図
【図６】（ａ）は図５の状態から停止時表示域を表示させる際の表示部の室外側の側面を示す部分拡大側面図、（ｂ）は同図（ａ）のＶＩｂ−ＶＩｂ線の断面図、（ｃ）は同図（ｂ）のＶＩｃ−ＶＩｃ線の断面図
【図７】（ａ）は図６の状態から停止時表示域を表示させた表示部の室外側の側面を示す部分拡大側面図、（ｂ）は同図（ａ）のＶＩＩｂ−ＶＩＩｂ線の断面図、（ｃ）は同図（ｂ）のＶＩＩｃ−ＶＩＩｃ線の断面図
【発明を実施するための形態】
【００１３】
以下、この発明の実施形態に係る表示錠を添付図面に基づいて説明する。
図１、２に示す表示錠は、室内と室外を仕切るドアＤを閉鎖位置にロックする錠本体１と、所定の表示域を室外に表示する表示部２と、室外から錠本体１や表示部２を操作する目的で使用される操作具３とを備える。
【００１４】
ドアＤは、トイレ室、浴室等の一室の室内と室外を仕切る開閉体であり、開き戸、引き戸のいずれでもよい。ドアＤの戸先に対向する室壁には、表示錠を掛ける相手部材４が取り付けられる。実施形態に係る表示錠は、ドアＤに取り付けられる箱錠からなる。相手部材４は、室壁に取り付けられるストライクからなる。
【００１５】
錠本体１は、室内からの施錠操作によって施錠され、室内からの解錠操作によって解錠される機械式の錠機構からなる。
【００１６】
錠本体１は、錠ケース５と、錠ケース５から相手部材４に対して進退可能に配置された閂６と、サムターン７とを有する箱錠になっている。錠ケース５は、ドアＤの室内側に取り付けられている。閂６は、鎌形になっている。サムターン７は、錠ケース５に対して施錠位置と解錠位置との間でのみ回動可能に設けられている。サムターン７の回動が錠ケース５内において閂６の進退動に変換されるようになっている。
【００１７】
錠本体１を室内から施錠してドアＤをロックする場合、図１に示すように解錠位置に待機しているサムターン７を手で摘み、これを一方向へ回転させて施錠位置まで回す施錠操作を行うことにより、閂６を進出させることができる。これにより、錠本体１が施錠された状態（施錠状態）となり、ドアＤが閉鎖位置にロックされた状態になる。
【００１８】
錠本体１を室内から解錠してドアＤを開放する場合、図３に示すように、施錠位置に待機しているサムターン７を手で摘み、これを他方向（一方向と逆方向）へ回転させて解錠位置まで回す手動操作を行うことにより、閂６を後退させることができる。これにより、錠本体１が解錠された状態（解錠状態）となり、ドアＤが開放可能な状態になる。
【００１９】
図１、図４〜図７に示すように、表示部２は、錠本体１と連動して室外の表示を切り替え、かつ操作具３の操作によって室外への表示域を切り替えることができる機械式の表示機構からなる。
【００２０】
図１、図４（ａ）、（ｂ）に示すように、表示部２は、ドアＤに取り付けられるベース部材８と、サムターン７の回動軸９と連結された伝達軸１０と、伝達軸１０と同心に回転可能に配置された表示体１１と、表示体１１の大部分を覆うカバー部材１２と、表示体１１と伝達軸１０間の回転伝達と遮断を行うクラッチ機構１３とを有する。
【００２１】
ベース部材８には、伝達軸１０の軸方向にベース部材８を貫通する軸通孔１４が形成されている。軸通孔１４の内周には、円筒面１５が形成されている。軸通孔１４に伝達軸１０が挿通されている。ベース部材８の円筒面１５は、伝達軸１０と、表示体１１の軸部１６とをそれぞれ径方向に支持し、伝達軸１０と表示体１１を所定の同軸度に保つ。
【００２２】
伝達軸１０は、サムターン７の回動軸９と一方向及び他方向のいずれの回転方向にも一体に回転可能になっている。このため、伝達軸１０は、室内からのサムターン７の施錠操作に応じて一方向へ回転し、かつ室内からのサムターン７の解錠操作に応じて他方向へ回転する。
【００２３】
表示体１１は、ベース部材８に対して室外側に配置されている。表示体１１は、操作具３からの操作を受ける非常入力部１７と、ベース部材８に対して室外側に配置された施錠時表示域１８と、解錠時表示域１９と、停止時表示域２０とを有する。
【００２４】
非常入力部１７は、操作具３の先端部と一方向及び他方向のいずれの回転方向にも係合可能になっている。操作具３は、キーになっている。
【００２５】
非常入力部１７は、軸部１６の室外側に形成されており、軸部１６周りの周方向の略半周で軸方向に室内側へ凹んだ形状になっており、その凹みの周方向一端面で操作具３の一方向回転のトルクを受け、その凹みの周方向他端面で操作具３の他方向回転のトルクを受けることができる。
【００２６】
表示体１１の回転中心軸上には、室外側に突き出たガイド軸２１が形成されている。室外から操作具３の中空軸部を表示体１１のガイド軸２１に差し込み、その操作具３を一方向に回転させる非常施錠操作又は他方向に回転させる非常解錠操作により、その操作具３からの回転トルクを非常入力部１７で受ける表示体１１を操作具３と同方向に回転させることができる。
【００２７】
施錠時表示域１８は、施錠状態に対応の情報を室外に伝える表面部からなる。施錠時表示域１８には、“使用中”を意味する文字情報が記述されている。解錠時表示域１９は、解錠状態に対応の情報を室外に伝える表面部からなる。解錠時表示域１９には、“空き”を意味する文字情報が記述されている。停止時表示域２０は、室内を使用できない使用停止状態に対応の情報を室外に伝える表面部からなる。停止時表示域２０には、“使用停止”を意味する文字情報が記述されている。これら表示域１８〜２０は、非常入力部１７の周囲に周方向に並んでいる。これら表示域１８〜２０の夫々には、軸部１６周りに９０°の角度領域が割り当てられている。
【００２８】
カバー部材１２は、表示窓２２と、操作口２３とを有する非透明部材からなる。カバー部材１２は、表示体１１に対して室外側からベース部材８に取り付けられる。表示窓２２は、表示体１１の静止時に表示域１８〜２０の中の一つのみが軸方向に露出する形状の開口部になっている。操作口２３は、室外から操作具３を非常入力部１７、ガイド軸２１に差し込める形状の開口部になっている。
【００２９】
クラッチ機構１３は、錠本体１でサムターン７の回動軸９に許容された回動範囲内において伝達軸１０と表示体１１との間で両方向（一方向及び他方向）の回転を同位相で伝達可能、かつ前述の回動範囲外において回転不可な伝達軸１０に対して表示体１１の両方向の回転を遮断可能な噛み合いクラッチとして構成されている。
【００３０】
クラッチ機構１３は、伝達軸１０とベース部材８との間に介在するコイルばね２４と、表示体１１の軸部１６の室内側の端面に形成された四つの第一係合爪２５ａ〜２５ｄと、表示体１１の軸部１６の室内側の端面に形成された一つの第二係合爪２６と、伝達軸１０の室外側の端面に形成された四つの係合溝２７ａ〜２７ｄと、伝達軸１０の外径面から径方向に凹んだ係合凹部２８とを有する。第一係合爪２５ａ〜２５ｄは、軸部１６周りに９０°間隔で形成されている。係合溝２７ａ〜２７ｄは、第一係合爪２５ａ〜２５ｄに対応の位相で形成されている。係合凹部２８は、ガイド部材８の円筒面１５に案内される伝達軸１０の外径面から径方向に凹んだ形状であり、その円筒面１５との間に第二係合爪２６の移動空間を形成する。なお、第一係合爪、係合溝、第二係合爪、係合凹部は、表示体と伝達軸のどちらに形成してもよい。
【００３１】
図１、図４（ａ）に示すように、表示部２がカバー部材１２の表示窓２２から解錠時表示域１９を室外に表示する状態であって、サムターン７が解錠位置にあるとき、図４（ｂ）、（ｃ）に示すように、第一係合爪２５ａ〜２５ｄと係合溝２７ａ〜２７ｄが１対１で噛み合い、第二係合爪２６が係合凹部２８の周方向一方側の端に接した状態にある。この状態からサムターン７を一方向回転させる施錠操作が行われることにより、又は、室外から操作具３を用いた非常施錠操作が行われることにより、前述の噛み合いによる回転伝達が成され、伝達軸１０と表示体１１が同位相で９０°一方向回転させられる。これにより、図３、図５（ａ）に示すようにサムターン７が施錠位置となり、表示部２が、施錠状態のときに施錠時表示域１８を室外に表示する状態となる。
【００３２】
その図３、図５（ａ）に示す状態のとき、サムターン７を他方向回転させる解錠操作が行われることにより、又は、室外から操作具３を用いた非常解錠操作が行われることにより、図５（ｂ）、（ｃ）に示すように、前述の係合溝２７ａ〜２７と第一係合爪２５ａ〜２５ｄの噛み合いによる回転伝達が成され、表示体１１と伝達軸１０が同位相で９０°他方向回転させられる。これにより、図１、図４（ａ）に示すように、サムターン７が解錠位置となり、表示部２が、解錠状態のときに解錠時表示域１９を室外に表示する状態となる。
【００３３】
前述のように、非常施錠操作によって表示部２が図５（ａ）の状態となり、サムターン７が図３の施錠位置になってから、さらに操作具３を一方向回転させる表示変更操作が行われることにより、図６（ｂ）、（ｃ）に示すように、一方向回転できない伝達軸１０の係合溝２７ａ〜２７と、一方回転しようとする表示体１１の第一係合爪２５ａ〜２５ｄとの接触箇所において軸方向室内側への分力が生じ、この分力によってコイルばね２４が圧縮されて伝達軸１０が軸方向室内側へ後退させられ、これにより、前述の噛み合いが外れて、一方向回転する第一係合爪２５ａ〜２５ｄが伝達軸１０の端面を滑る。このため、表示体１１から伝達軸１０への一方向回転の伝達が遮断され、停止中の伝達軸１０に対して表示体１１だけが図６（ａ）に示すように一方向回転させられる。この表示変更操作によって表示体１１が図５（ａ）の状態に比して９０°一方向回転させられると、図７（ａ）に示すように、表示部２が停止時表示域２０を室外に表示する非常表示状態となり、図７（ｂ）、（ｃ）に示すように、第一係合爪２５ａ〜２５ｄと係合溝２７ａ〜２７が１対１で噛み合う状態となる。
【００３４】
表示部２が図７（ａ）の状態であって、サムターン７が図３の施錠位置にあるとき、室外から操作具３を用いた非常解錠操作が行われることにより、表示体１１が図７（ａ）の状態から９０°他方向回転させられるまでの間、第一係合爪２５ａ〜２５ｄと係合溝２７ａ〜２７の噛み合いにより、伝達軸１０が表示体１１と同位相で９０°他方向回転させられる。これにより、サムターン７が図１に示す解錠位置となり、表示部２が、解錠状態のときに施錠時表示域１８を室外に表示する状態となる。さらに操作具３が他方向回転させられることにより、他方向回転できない伝達軸１０の係合溝２７ａ〜２７と、他方回転しようとする表示体１１の第一係合爪２５ａ〜２５ｄとの間で前述と同じく分力が生じて、他方向回転する第一係合爪２５ａ〜２５ｄが伝達軸１０の端面を滑る。このため、表示体１１から伝達軸１０への他方向回転の伝達が遮断され、停止中の伝達軸１０に対して表示体１１だけが他方向回転させられる。これにより、表示体１１が図７（ａ）の状態から１８０°他方向回転させられると、表示部２が、解錠状態のときに解錠時表示域１９を表示する状態となる（図４（ａ）参照）。
【００３５】
第二係合爪２６と係合凹部２８は、特許文献１に開示の補助回転機構に相当するものであり、サムターン７の回動軸９の回動範囲内で異常に回転伝達が遮断されたとき、第二係合爪２６と係合凹部２８による回転伝達が成され、施錠状態と施錠時表示域、解錠状態と解錠時表示域の対応表示がずれないようにする。
【００３６】
上述のように、実施形態に係る表示錠によれば、表示部２が使用停止を伝える停止時表示域２０を有し、操作具３を用いた室外からの表示変更操作によって表示部２が停止時表示域２０を室外に表示する非常表示状態へ切り替えられるので、室内の使用を停止すべき事態が発生した場合、操作具３を所持する管理者は、ドアＤを閉じ、操作具３を用いて室外から非常施錠操作を行って施錠した後、表示変更操作を行うだけの簡単な作業により、表示部２に停止時表示域２０を表示させ、使用停止を室外に伝えることができる。また、管理者は、室内の使用を許し得る状況になれば、操作具３を用いて室外から非常解錠操作を行って解錠し、さらに非常表示状態を解除して解錠時表示域１９を室外に表示させることができる。
【００３７】
また、実施形態に係る表示錠によれば、操作具３を用いた室外からの非常施錠操作によって施錠され、当該非常施錠操作に連続する表示変更操作によって非常表示状態へ切り替えられるので、管理者が操作具３の非常施錠操作で施錠してから表示変更操作で停止時表示域２０を表示させることになるため、使用停止する際の施錠忘れを確実に防止することができる。
【００３８】
また、実施形態に係る表示錠によれば、表示部２が、室内からの施錠操作に応じて一方向へ回転しかつ室内からの解錠操作に応じて他方向へ回転する伝達軸１０と、伝達軸１０と同心に回転可能に配置された表示体１１と、表示体１１と伝達軸１０間の回転伝達と遮断を行うクラッチ機構１３とを有し、表示体１１が、操作具３からの操作を受ける非常入力部１７と、施錠時表示域１８と、解錠時表示域１９と、停止時表示域２０とを有し、クラッチ機構１３が、伝達軸１０からの回転を表示体１１の軸部１６に伝達し、非常施錠操作による表示体１１の一方向回転を伝達軸１０に伝達し、表示変更操作による表示体１１の一方向回転を伝達軸１０に対して遮断し、表示体１１の他方向回転を伝達軸１０に伝達するので、室内の使用を許す通常状態のとき、室内からのサムターン７の操作による施解錠切り替えと、表示体１１における施錠時表示域１８と解錠時表示域１９の表示切り替えとが連動する一方、操作具３を一方向回転させることで非常施錠操作と表示変更操作とを行うことができ、操作具３を他方向回転させることで非常解錠操作と非常表示状態の解除操作とを行うことができる。
【００３９】
なお、実施形態では、錠本体として箱錠を例示したが、スライドラッチ錠、打掛け錠、チューブラ錠等、他形式の機械錠に変更してもよい。また、ドアは左勝手で開放するものか、右勝手で開放するものかを問わない。また、表示部は、解錠時表示域、施錠時表示域、停止時表示域を一方向回転で切り替えるようにしたが、他方向回転で切り替えるようにサムターンの施解錠回転方向と解錠時表示域等の配置を変更してもよい。また、表示部における施錠時表示域等はテキストメッセージに限られず、色違いやイラストによって表示してもよい。また、操作具としてキーを例示したが、コイン等を採用してもよい。
【００４０】
今回開示された実施形態はすべての点で例示であって制限的なものではないと考えられるべきである。したがって、本発明の範囲は特許請求の範囲によって示され、特許請求の範囲と均等の意味および範囲内でのすべての変更が含まれることが意図される。
【符号の説明】
【００４１】
１  錠本体
２  表示部
３  操作具
７  サムターン
１０  伝達軸
１１  表示体
１３  クラッチ機構
１７  非常入力部
１８  施錠時表示域
１９  解錠時表示域
２０  停止時表示域
【図１】
2019044360.tif 000003
【図２】
2019044360.tif 000004
【図３】
2019044360.tif 000005
【図４】
2019044360.tif 000006
【図５】
2019044360.tif 000007
【図６】
2019044360.tif 000008
【図７】
2019044360.tif 000009